(57)【要約】      （修正有）【課題】本考案は、公知のプラ・スリム両ケ−スの透明蓋内面に装着する取扱説明・記録内容記入紙において、額縁付きとすることにより美的付加価値を加えたものである。【解決手段】本考案は、折り筋１で表面２と裏面３に二つ折りした四角形厚紙で、表面２は所望形抜窓４をトムソン型抜きして、装飾やタイトル欄等の印刷をした額縁５とし、裏面３は額縁５にパソコン画像が位置するよう、プリント出力位置合わせの所望形抜窓アタリ６を印刷しており、表面２・裏面３の適当位置に記録内容記入欄・取扱説明等を印刷したものであり、所望形抜窓アタリ６を無くして、別途所望の画像紙８を表面２と裏面３の間に挟み込み、表面２の内面に固着して額縁５に入るようにしてもよく、額縁５に装飾柄のエレボス加工を施してもよく、本考案全形の四角形厚紙の各角を、所望形に装飾カットしてもよく、所望形抜窓４を抜かずに枠をミシン切り目にして後で抜いてもよい。【選択図】図２
0003135851.tif 000002
【実用新案登録請求の範囲】
【請求項１】
既存のプラ・スリム両ケ−スの透明蓋内面に具備された、取扱説明・記録内容記入紙装着装置に差し込める大きさの、折り筋１で表面２・裏面３を折り合わす二つ折りの四角形厚紙で、表面２は、所望形抜窓４をトムソン型抜きして、装飾やタイトル欄等の印刷を施して額縁５とし、また裏面３には、所望形抜窓４に当る位置に所望形抜窓アタリ６を印刷し、そこに画像等をパソコンでプリント出力することにより、所望形抜窓４から額縁５入りに見えるようにし、そして表面２・裏面３の適当位置に、記録内容記入欄・メッセ−ジ記入欄・取扱説明等を印刷しでいる、プラ・スリム両ケ−ス内装着額縁付き取扱説明・記録内容記入紙。
【請求項２】
所望形抜窓アタリ６を無くして、画像等をパソコンで本考案にプリント出力せずに、別途所望の画像紙８を用意し、表面２と裏面３の間に挟み込み、所望形抜窓４に位置合わせして、表面２の内面に固着し額縁５入りに見えるようにする、請求項１記載のプラ・スリム両ケ−ス内装着額縁付き取扱説明・記録内容記入紙。
【請求項３】
表面２の額縁５に、装飾柄のエンボス加工を施してさらに装飾性を高めた、請求項１−２いずれかに記載のプラ・スリム両ケ−ス内装着額縁付き取扱説明・記録内容記入紙。
【請求項４】
本考案全形の二つ折り四角形厚紙の各角を所望形に装飾カット７した、請求項１−２−３いずれかに記載のプラ・スリム両ケ−ス内装着額縁付き取扱説明・記録内容記入紙。
【請求項５】
表面２の額面５に印刷を施さないで、所望形抜窓４の枠をミシン切り目にして抜き窓にせず、パソコンで額縁５の柄を自由にプリント出力できるようにし、プリント出力後に前記ミシン切り目で所望形抜窓４を切り抜く、請求項１−２−３−４いずれかに記載のプラ・スリム両ケ−ス内装着額縁付き取扱説明・記録内容記入紙。
【考案の詳細な説明】
【技術分野】
【０００１】  本考案は、コンパクトディスクを入れる既存のプラ・スリム両ケ−ス内に装着する、取扱説明・記録内容記入紙に関するものである。
【背景技術】
【０００２】  コンパクトディスクを包装・保存するのに、公知のプラ・スリム両ケ−スが主に用いられており、そのケ−スの透明蓋の内面に接して、記録内容記入欄と取扱説明等を印刷した、厚紙で一枚物の取扱説明・記録内容記入紙が装着されている。
【考案の開示】
【考案が解決しようとする課題】
【０００３】  取扱説明・記録内容記入紙は、ディスク記録内容の記入欄とディスク取扱注意事項を、一色刷り印刷されただけで、ケ−ス表のほぼ全面に表わるにも係わらず、美的工夫が全く無いものである。従って前記機能に額縁の美的工夫を加えることにより、前述の欠点を解決しようとするものである。
【課題を解決するための手段】
【０００４】  本考案は、既存のプラ・スリム両ケ−スの透明蓋内面に具備された、取扱説明・記録内容記入紙装着装置に差し込める大きさの、折り筋１で表面２・裏面３を折り合わす二つ折りの四角形厚紙で、表面２は、所望形抜窓４をトムソン型抜きして、装飾やタイトル欄等の印刷を施して額縁５とし、また裏面３には、所望形抜窓４に当る位置に所望形抜窓アタリ６を印刷し、そこに画像等をパソコンでプリント出力することにより、所望形抜窓４から額縁５入りに見えるようにし、そして表面２・裏面３の適当位置に、記録内容記入欄・メッセ−ジ記入欄・取扱説明等を印刷したものである。さらに本考案は、所望形抜窓アタリ６を無くして、画像等をパソコンで本考案にプリント出力せずに、別途所望の画像紙８を用意し所望形抜窓４に位置合わせして、表面２の内面に固着し額縁５入りに見えるようにしてもよく、さらに表面２額縁５に装飾柄のエンボス加工を施してもよく、また本考案全形の二つ折り四角形厚紙の各角を所望形に装飾カット７してもよく、所望形抜窓４を抜かずに枠をミシン切り目にして後で抜いてもよく、このようにして問題を解決している。
【考案の効果】
【０００５】  上述のように、本考案の取扱説明・記録内容記入紙に、ディスク入力画像をプリント出力したり、別途に印刷物・写真・絵画等の画像紙を挾み込んで、既存のプラ・スリム両ケ−スに装着すると、美しい額縁にすることができる上、その画像により一見してディスクの記録内容を判明することもでき、またプレゼント用ディスクや商品説明・ＰＲ用ディスク等において、所望形抜窓４のトムソン抜型を、それらのイメ−ジに合わせた形にすることにより、さらにハイイメ−ジにすることができる等の効果がある。
【考案を実施するための最良の形態】
【０００６】  既存のプラ・スリム両ケ−スの透明蓋内面に、取扱説明・記録内容記入紙の装着装置として、上下端に二つずつのツメと左右端部に紙止めガイドが具備されているので、本考案は、図１・２に示されるように、前記装着装置にほぼピッタリ差し込める大きさの、真ん中に折り筋１を入れて表面２・裏面３を成す二つ折りの四角形厚紙としており、表面２は、所望形抜窓４をトムソン型抜きし、装飾やタイトル欄等の印刷を施して、全体を額縁５と成している。また裏面３中面には、折り合わして所望形抜窓４の当る位置に、パソコン画像のプリント出力の位置合わせのため、所望形抜窓４より若干大き目にして額縁５から見えないようにしに所望形抜窓アタリ６を印刷し、そして表面２・裏面３の適当位置に、取扱説明や記録内容記入欄等を印刷している。
【実施例】
【０００７】  また図３に示すように、パソコン画像を本考案にプリントしないものにする場合は、裏面３の所望形抜窓アタリ６を印刷せずに、別途用意した写真・印刷物・絵画等の画像紙８を、表面２と裏面３の間に挾み込んで額縁５への位置合わせをし、表面２の中面に画像紙８を粘着剤やセロハンテ−プで固着してもよい。また所望形抜窓４は、ディスク記録内容に応じてハ−ト形・円形・四角形・花形・トランプ形・魚形等、所望の様々な形のトムソン型抜きにしてもよく、額縁５にも図柄・写真・絵画等の様々な装飾を印刷したたり、さらに装飾性を増すために装飾柄のエンボス加工を施してもよく、そして取扱説明や記録内容記入欄等は、表面２・裏面３の適当位置に印刷してもよく、また従来にないメッセ−ジ記入欄も適当位置に設けでもよく、さらに図４に示すように、本考案全形の二つ折り四角形厚紙の各角を、ア−ル等の所望形に装飾カット７してもよく、そしてさらに表面２に印刷を施さないで、所望形抜窓４の枠をミシン切り目にして抜き取らずに、パソコンで額縁５の柄を自由にプリント出力できるようにし、プリント出力後に前記ミシン切り目で所望形抜窓４を切り抜き、額縁５にしてもよいものである。
【図面の簡単な説明】
【０００８】
【図１】  既存品のスリムケ−スに、本考案のプラ・スリム両ケ−ス内装着額縁付き取扱説明・記録内容記入紙を装着した、一実施例を示す平面図である。
【図２】  本考案のプラ・スリム両ケ−ス内装着額縁付き取扱説明・記録内容記入紙の一実施例を示す斜視図である。
【図３】  所望形抜窓アタリ６を設けず、別途に画像紙８を挾込んで額縁５に見せる、本考案のプラ・スリム両ケ−ス内装着額縁付き取扱説明・記録内容記入紙の一実施例を示す斜視図である。
【図４】  本考案全形の二つ折り四角形厚紙の各角を所望形に装飾カット７した、本考案のプラ・スリム画ケ−ス内装着額縁付き取扱説明・記録内容記入紙の一実施例を示す平面図である。
【符号の説明】
【０００９】  １  折り筋
２  表面
３  裏面
４  所望形抜窓
５  額縁
６  所望形抜窓アタリ
７  装飾カット
８  画像紙
【図１】
0003135851.tif 000003
【図２】
0003135851.tif 000004
【図３】
0003135851.tif 000005
【図４】
0003135851.tif 000006